(57)【要約】【課題】シャッタのスムーズな摺動を得ることができると共に擦れ音の発生することがないディスクカートリッジを提供することにある。【解決手段】ヘッドアクセス窓及び駆動軸挿入窓が対向する位置に形成されたケース本体と、前記ケース本体の前側端縁に沿ってそれぞれ独立して摺動可能に設けられたスライダと、該スライダに固着されて前記窓を開閉する断面略Ｌ字形状の開閉板と、前記スライダを一方向に付勢する弾性部材とを備えたディスクカートリッジにおいて、前記スライダはシャッタ駆動ピンと係合する受穴と、前記受穴の両側近傍に開閉板を位置決めするための位置決め用突起を有すると共に前記開閉板は前記スライダの受穴および位置決め突起と対応する位置に切欠開口と位置決め穴を有し、前記スライダの両端部で前記金属製開閉板が螺着されていることを特徴とするディスクカートリッジ。【選択図】      図１
2004362640.tif 000002
【特許請求の範囲】
【請求項１】
ディスク状記録媒体を回転自在に収納すると共にヘッドアクセス窓及び駆動軸挿入窓が対向する位置に形成された上下一対のハーフシェルからなるケース本体と、前記上下一対のハーフシェルのそれぞれの前側端縁内面に設けられたレール状の凸状突起に係合して前記ケース本体の前側端縁に沿ってそれぞれ独立して摺動可能に設けられたスライダと、該スライダにそれぞれ独立して固着されて前記ヘッドアクセス窓及び駆動軸挿入窓を開閉する断面が略Ｌ字形状の金属製開閉板と、前記スライダをそれぞれ一方向に付勢する弾性部材とを備えたディスクカートリッジにおいて、前記スライダは前記金属製開閉板が固着される本体部と、該本体部の長手方向の閉方向側に延設部とを有し、前記本体部の長手方向の閉方向側に偏った位置にシャッタを開閉するためのシャッタ駆動ピンと係合する受穴と、前記本体部の頂部の長手方向の両端部に前記金属製開閉板を螺着するためのねじ穴および前記本体部の頂部の前記受穴の両側近傍に前記金属製開閉板を位置決めするための位置決め用突起を備え、前記金属製開閉板は前記スライダの前記受穴に対応する位置に前記シャッタ駆動ピンを前記受穴内に導くための切欠開口と前記スライダの前記ねじ穴および前記位置決め突起に対応する位置に皿ねじを挿通する挿通穴および前記位置決め突起と係合する位置決め穴を備えていることを特徴とするディスクカートリッジ。
【発明の詳細な説明】
【０００１】
【発明の属する技術分野】
本発明は、円盤形状をしたディスク状記録媒体を回転自在に収納する両面読み書き可能なタイプのディスクカートリッジに関し、さらに詳しくは、金属製開閉板を皿ねじでスライダに螺着する際にスライダが変形することなく金属製開閉板をスライダに螺着することができるスライダと金属製開閉板の構造に関するものである。
【０００２】
【従来の技術】
従来から、光ディスク、光磁気ディスク等の円盤形状をしたディスク状記録媒体を機器装置にローディングするために、ディスク状記録媒体を回転自在に収納するディスクカートリッジが使用されている。そして、ディスクカートリッジは、未使用時にゴミ等の異物がヘッドアクセス窓及び駆動軸挿入窓から侵入するのを防止する意味ために、ヘッドアクセス窓及び駆動軸挿入窓がシャッタで閉じられた状態を維持するように構成され、たとえば、捩りコイルばね（弾性部材）を用いて常にシャッタを閉止する方向に付勢している。そして、ディスクカートリッジをディスクドライブ装置に装着したときに、ディスクドライブ装置のシャッタ駆動ピンでシャッタを弾性部材の付勢力に抗して摺動させてヘッドアクセス窓及び駆動軸挿入窓を開き、ディスクへの読み書きを行なうようになっている。
【０００３】
そして、ディスクカートリッジには、片面のみ読み書き可能なタイプと両面読み書き可能なタイプがあり、また、両面読み書き可能なタイプのディスクカートリッジとして、大別すると、▲１▼ケース本体の両面の対向する位置に形成されたヘッドアクセス窓及び駆動軸挿入窓を閉じる位置を中立位置として左右両方向へスライド自在に取付けられた断面略コの字状の一つのシャッタからなるタイプ（たとえば、特許文献１参照）と、▲２▼ケース本体の両面の対向する位置に形成されたヘッドアクセス窓及び駆動軸挿入窓をそれぞれ独立して一方向へスライド自在に取付けられた断面略Ｌ字状の二つのシャッタからなるタイプとがある。また、シャッタには、金属製やプラスチック製の開閉板のみからなるものと、金属製やプラスチック製の開閉板をプラスチック製スライダに固着したものとが存在する。
【０００４】
図２〜４に示すシャッタ開閉構造を有するディスクカートリッジは、上記した▲２▼のタイプのディスクカートリッジであって、開閉板とスライダとからなるシャッタを備えたディスクカートリッジである。このディスクカートリッジ１のケース本体２は上下一対のハーフシェル１０からなり、上下ハーフシェル１０は雄と雌の嵌合部が異なる以外は基本的にはほぼ同じ形状であり、上ハーフシェル１０を例に挙げて説明する。
【０００５】
前記上ハーフシェル１０はその中央から前側端縁へ向かってディスクドライブ（図示せず）へのディスクカートリッジの装填方向に延在するヘッドアクセス窓及び駆動軸挿入窓１３を備えると共に内面にディスクの収納空間を区画する周壁１１と側端縁部に沿って延在する側壁１２が形成され、前側端縁の前記側壁１２は前記ヘッドアクセス窓及び駆動軸挿入窓１３を挟んで一方（図３〜５上の右側）が他の側壁１２よりケース本体２の厚み方向に低い側壁１２’に構成されると共に前記側壁１２’の前記ヘッドアクセス窓及び駆動軸挿入窓１３から最も離れた位置にハーフシェル係合凹部１４が形成され、さらに前側端縁の前記側壁１２、１２’より前側端縁側内面に前側端縁に平行にレール状の凸状突起１５が一体的に形成されている。なお、前記側壁１２’を前記側壁１２よりケース本体２の厚み方向に低く形成しているのは、後述する弾性部材４０の腕部４２の移動の妨げとなるのを防止し、ケース本体１の厚みを薄く構成するためである。
【０００６】
そして、前記上ハーフシェル１０に設けた前記凸状突起１５にその溝部２１で摺動可能にスライダ２０が係合している。スライダ２０は本体部２０ａと該本体部２０ａの長手方向の閉方向側に延設部２０ｂとからなり、前記本体部２０ａの頂部で前記ヘッドアクセス窓及び駆動軸挿入窓１３を開閉する略Ｌ字形状の金属製開閉板３０が前記ハーフシェル１０の前側端縁を跨いで固着されてシャッタとして機能するように構成されている。前記スライダ２０は前記本体部２０ａの長手方向の閉方向側に偏った位置に前記シャッタを開閉するためのシャッタ駆動ピン（図示せず）と係合する受穴２４と、前記本体部２０ａの頂部の長手方向の両端部に前記金属製開閉板３０を皿ねじ５０で螺着するためのねじ穴２３（図２、４上は２箇所）と該ねじ穴２３近傍の前記受穴２４側に前記金属製開閉板３０を位置決めするための位置決め用突起２２（図２、４上は２箇所）と、前記本体部２０ａの長手方向の開方向側の内面にスライダ係合孔２５と該スライダ係合孔２５を含む凹部２６（図３、５上は正面視三角形状の凹部）とを備えている。
【０００７】
前記金属製開閉板３０は前記スライダ２０の前記受穴２４に対応する位置に前記シャッタ駆動ピン（図示せず）を前記受穴２４内に導くための切欠開口３３と前記スライダ本体部２０ａの前記ねじ穴２３および前記位置決め突起２２に対応する位置に皿ねじ５０を挿通する挿通穴３２および前記位置決め突起２２と係合する位置決め穴３１とを備えている。
【０００８】
また、弾性部材４０は、弾性線状部材が巻かれたコイル部４１と、このコイル部４１から延びる２本の腕部４２と、該２本の腕部４２の先端部に同じ側に略直角に屈折された端部係合部４３を有する、いわゆる捩りコイルばねであって、該捩りコイルばね４０の一方の端部係合部４３が前記スライダ係合孔２５と係合し、他方の端部係合部４３が前記上ハーフシェル係合孔１４と係合し、常に前記スライダ２０を閉方向側に付勢するようになっている。また、前記スライダ２０に設けた前記凹部２５（図３、５上は正面視三角形状の凹部）は、前記捩りコイルばね４０の一方の端部係合部４３と繋がっている前記弾性部材（捩りコイルばね）４０の腕部４２が前記ヘッドアクセス窓及び駆動軸挿入窓１３を開閉する際に移動する軌跡に対応した大きさ（面積）の凹部となっている。
【０００９】
上記のように構成された図３に示す前記上ハーフシェル１０は、図示はしないが、前記上ハーフシェル１０の前記周壁１１内にディスク状記録媒体が収納され、その後に下ハーフシェル１０を内面同士が対向するようにねじ等の接合手段で接合することにより、図２に示す両面読み書き可能なタイプのディスクカートリッジ１となる。
【００１０】
しかしながら、上記のように構成した図２に示すようなディスクカートリッジ１は、スライダ２０に金属製開閉板３０を皿ねじ５０で固着する際に、皿ねじ５０で締付ける時の締付け力（螺着する時の螺着力）により金属製開閉板３０の切欠開口３３の上周縁部が外側に膨出（図５の符号Ｓで示す方向に膨出）し、この膨出した力が特に、スライダ２０の本体部２０ａの開方向側の端部に反作用としてかかるために、この端部が内側に押出された状態（図５の符号Ｕで示す方向に押出された状態）となり、ヘッドアクセス窓及び駆動軸挿入窓１３を開閉する際に、スライダ２０のこの押出された箇所がもう一方のスライダ２０（図示せず）に強く擦れた状態で摺動し、スライダ２０の動きが重くなると共に擦れ音が発生するという問題があった。
【００１１】
【特許文献１】
特開平９−２５１７５２号公報
【００１２】
【発明が解決しようとする課題】
そこで本発明は、上記問題を解決するためになしたものであって、その目的とするところは、スライダに金属製開閉板を皿ねじで固着する際に、皿ねじ締付け時の締付け力によりスライダの本体部の開方向側の端部が内側に押出されることを防止して、ヘッドアクセス窓及び駆動軸挿入窓を開閉する際にスライダのスムーズな摺動を得ることができると共に擦れ音の発生することがないディスクカートリッジを提供することにある。
【００１３】
【課題を解決するための手段】
本発明者は、上記のような目的を達成するため、請求項１記載の発明は、ディスク状記録媒体を回転自在に収納すると共にヘッドアクセス窓及び駆動軸挿入窓が対向する位置に形成された上下一対のハーフシェルからなるケース本体と、前記上下一対のハーフシェルのそれぞれの前側端縁内面に設けられたレール状の凸状突起に係合して前記ケース本体の前側端縁に沿ってそれぞれ独立して摺動可能に設けられたスライダと、該スライダにそれぞれ独立して固着されて前記ヘッドアクセス窓及び駆動軸挿入窓を開閉する断面が略Ｌ字形状の金属製開閉板と、前記スライダをそれぞれ一方向に付勢する弾性部材とを備えたディスクカートリッジにおいて、前記スライダは前記金属製開閉板が固着される本体部と、該本体部の長手方向の閉方向側に延設部とを有し、前記本体部の長手方向の閉方向側に偏った位置にシャッタを開閉するためのシャッタ駆動ピンと係合する受穴と、前記本体部の頂部の長手方向の両端部に前記金属製開閉板を螺着するためのねじ穴および前記本体部の頂部の前記受穴の両側近傍に前記金属製開閉板を位置決めするための位置決め用突起を備え、前記金属製開閉板は前記スライダの前記受穴に対応する位置に前記シャッタ駆動ピンを前記受穴内に導くための切欠開口と前記スライダの前記ねじ穴および前記位置決め突起に対応する位置に皿ねじを挿通する挿通穴および前記位置決め突起と係合する位置決め穴を備えていることを特徴とするものである。
【００１４】
【発明の実施の形態】
上記の本発明について、図面等を用いて以下に説明する。
本発明のディスクカートリッジは、従来技術の項で説明したディスクカートリッジ１と基本的に同じ構成からなるものであって、用いる符号の意味も同じである。図１は本発明にかかるディスクカートリッジの要部平面図であって、従来技術の項で示した図５に対応する図であり、スライダ２０の頂部の受穴２４近傍の開方向側に位置決め突起２２’を設けると共にこの位置決め突起２２’に係合する位置決め穴３１’を新たに設けた構成とした以外は従来技術の項で説明したディスクカートリッジ１と同じである。
【００１５】
このように、スライダ２０の受穴２４近傍の両側に位置決め突起２２’、２２（図１上、受穴２４の左側の位置決め突起−この位置決め突起はスライダ２０の本体部２０ａの受穴２４が閉方向側に偏った位置に形成されているために従来から前記受穴２４近傍に形成されている）を備えた構成とすることにより、スライダ２０に金属製開閉板３０を皿ねじ５０で固着する際に、皿ねじ５０で締付ける時の締付け力がスライダ２０に新たに設けた位置決め突起２２’で阻止され、金属製開閉板３０の切欠開口３３の上周縁部が外側に膨出（図５の符号Ｓで示す方向に膨出）することがないためにスライダ２０の本体部２０ａの開方向側の端部が内側に押出される（図５の符号Ｕで示す方向に押出される）こともなく、結果としてスライダ２０がもう一方のスライダ２０に強く擦れることがなく、シャッタ開閉時にスムーズな摺動を得ることができると共に擦れ音が発生することがないシャッタを備えたディスクカートリッジとすることができる。
【００１６】
なお、図１においては、スライダ２０の本体部２０ａの開方向側の皿ねじ５０で螺着するためのねじ穴２３（図示せず）近傍に位置決め突起２２を設けた実施例を示したが、この位置決め突起２２は設けなくてもよいものである。また、前記位置決め突起２２、２２’（図１上、３箇所）に係合する金属製開閉板３０に設けられる位置決め穴３１、３１’  （図１上、３箇所）は、スライダ２０に金属製開閉板３０を皿ねじ５０で固着する際の生産性を考慮して、いずれか１つないし２つが長穴形状（楕円形状）としてもよいものである。
【００１７】
【発明の効果】
以上説明してきたように、本発明は、ディスク状記録媒体を回転自在に収納すると共にヘッドアクセス窓及び駆動軸挿入窓が対向する位置に形成された上下一対のハーフシェルからなるケース本体と、前記上下一対のハーフシェルのそれぞれの前側端縁内面に設けられたレール状の凸状突起に係合して前記ケース本体の前側端縁に沿ってそれぞれ独立して摺動可能に設けられたスライダと、該スライダに固着されて前記ヘッドアクセス窓及び駆動軸挿入窓をそれぞれ独立して開閉する断面が略Ｌ字形状の金属製開閉板と、前記スライダを一方向にそれぞれ付勢する弾性部材とを備えたディスクカートリッジにおいて、前記スライダは前記金属製開閉板が固着される本体部と、該本体部の長手方向の閉方向側に延設部とを有し、前記本体部の長手方向の閉方向側に偏った位置にシャッタを開閉するためのシャッタ駆動ピンと係合する受穴と、前記本体部の頂部の長手方向の両端部に前記金属製開閉板を螺着するためのねじ穴および前記本体部の頂部の前記受穴の両側近傍に前記金属製開閉板を位置決めするための位置決め用突起を備え、前記金属製開閉板は前記スライダの前記受穴に対応する位置に前記シャッタ駆動ピンを前記受穴内に導くための切欠開口と前記スライダの前記ねじ穴および前記位置決め突起に対応する位置に皿ねじを挿通する挿通穴および前記位置決め突起と係合する位置決め穴を備えている構成とすることにより、ヘッドアクセス窓及び駆動軸挿入窓を開閉する際にスライダ同士が強く擦れることがなく、スムーズな摺動を得ることができると共に擦れ音の発生することがないディスクカートリッジとすることができる。
【図面の簡単な説明】
【図１】本発明にかかるディスクカートリッジの要部平面図である。
【図２】従来のディスクカートリッジの一実施形態を示す斜視図である。
【図３】従来のシャッタの開閉構造を説明するハーフシェルの前端縁側の内面図である。
【図４】図３の分解斜視図である。
【図５】従来のシャッタの問題点を説明する前側端縁平面図である。
【符号の説明】
１                            ディスクカートリッジ
２                            ケース本体
１０                          ハーフシェル
１１                          周壁
１２、１２’                  側壁
１３                          ヘッドアクセス窓及び駆動軸挿入窓
１４                          ハーフシェル係合凹部
１５                          凸状突起
２０                          スライダ
２０ａ                        スライダ本体部
２０ｂ                        スライダ延設部
２１                          溝部
２２、２２’                  位置決め突起
２３                          ねじ穴
２４                          受穴
２５                          スライダ係合孔
２６                          凹部
３０                          シャッタ
３１、３１’                  位置決め穴
３２                          挿通穴
３３                          切欠開口
４０                          弾性部材（捩りコイルばね）
４１                          コイル部
４２                          腕部
４３                          端部係合部
５０                          皿ねじ
【図１】
2004362640.tif 000003
【図２】
2004362640.tif 000004
【図３】
2004362640.tif 000005
【図４】
2004362640.tif 000006
【図５】
2004362640.tif 000007